(57)【特許請求の範囲】
【請求項１】
キッチンの天板に設けられた開口穴に落としこむように略Ｔ字状に構成された本体と、前記本体の操作を行う操作ユニットＡと前記操作ユニットＡを下方から覆設するように支持した操作部支持台とを備え、前記操作ユニットＡを支持した前記操作部支持台は、前記キッチンの両サイドに前記天板を支持するように配設された側板に固定され、かつ前記操作ユニットＡの操作部、及び表示部が使用者から可視できる位置にある前記キッチン前方に配置され、前記操作ユニットＡは操作パネルＡと操作カバーＡを上下に嵌合、固定することにより箱状に構成され、かつ前記操作パネルＡの側面上部には庇Ａを設け、前記庇Ａは、前記操作部支持台外観面の上面を覆設するように前記操作部支持台に固定された組み込み式加熱調理器。
【請求項２】
前記操作パネルＡの前面側面には、上側に水平面を有する爪と、前記操作部支持台の前面の内側には下側に水平面を有するフランジとを備え、前記爪と前記フランジとが嵌合することにより前記操作ユニットＡと前記操作部支持台が固定された請求項１に記載の組み込み式加熱調理器。
【請求項３】
前記本体の操作を行う、前記操作パネルＡと前記操作カバーＡを有する前記操作ユニットＡと、同じく前記本体の操作を行う、操作パネルＢと操作カバーＢとを上下に嵌合、固定された箱状の操作ユニットＢとを備え、前記操作パネルＡに設けられた前記庇Ａが、前記操作パネルＢの上面端部に設けられた段差部を覆設した請求項１または２に記載の組み込み式加熱調理器。
【請求項４】
前記キッチンの前記操作部支持台下方には、鍋等を収納する引出しと、前記引出しの収納時の当て面を形成する幕板Ａとを備え、前記幕板Ａには、前記本体の主電源スイッチを固定し、前記引出し収納時には、前記主電源スイッチは、前記引出しにより露出しない請求項２または３に記載の組み込み式加熱調理器。
【請求項５】
前記操作部支持台前面からは、前記操作ユニットＡもしくは前記操作ユニットＢに搭載された主電源スイッチが露出した請求項２または３に記載の組み込み式加熱調理器。
【請求項６】
前記キッチンの前記操作部支持台横には、幕板Ｂが設けられ、前記幕板Ｂには、主電源スイッチが固定された請求項２または３に記載の組み込み式加熱調理器。
【発明の詳細な説明】
【技術分野】
【０００１】
本発明は、家庭のキッチンに組み込まれる組み込み式加熱調理器に関するものである。
【背景技術】
【０００２】
従来、この種の組み込み式加熱調理器は、例えば、本体はテーブルの天板に設けられた開口穴に落とし込まれ、操作部はテーブルの天板に固定されているものや、天板に操作部を前後に摺動させる機構を固定しているものがあった（例えば、特許文献１参照）。
【０００３】
図２０、２１、２２は、特許文献１に記載された従来の本体及び操作部の構成を示すものである。図２０〜２２において、テーブルの天板１に設けられた開口穴２に落としこむように略Ｔ字状に構成された本体３があり、キッチンに設置されている。本体３を操作するための操作ユニット４が本体３とは別体で構成され、ケーブル５で両者は接続されている。操作ユニット４は操作部支持台６に下方から支持され、操作部支持台６は、キッチンの天板１の裏面７に固定された前後への摺動手段８により、テーブルの前後への摺動が可能な構成となっている。
【特許文献１】特開平４−２７７４８５号公報
【発明の開示】
【発明が解決しようとする課題】
【０００４】
しかしながら、前記従来の構成では、操作ユニット４は操作部支持台６を介して、キッチンの天板１に固定されているため、操作ユニット４をキッチンに固定する際には、操作部支持台６及び摺動手段８を天板１の裏面７に固定させなければなないため、ねじの締め付けや取付の作業を下から行わなければならず、作業性が悪く時間がかかるという課題やまた、下からの取付けのため多口バーナー等で操作部が複数あり、重量が増えた場合など取付強度が弱くなったり、強度を十分確保する必要があるため、より頑強な取付構成が必要になるという課題を有していた。
【０００５】
本発明は、上記従来の課題を解決するもので、機器の操作部の構成において、操作部をキッチンに取り付ける作業が容易に行えることと、キッチン前面に出た操作部の強度を十分確保できる設置性と使用性のよい機器を提供することを目的とする。
【課題を解決するための手段】
【０００６】
前記従来の課題を解決するために、本発明の組み込み式加熱調理器は、キッチンの天板に設けられた開口穴に落としこむように略Ｔ字状に構成された本体と、本体の操作を行う操作ユニットＡと操作ユニットＡを下方から覆設するように支持した操作部支持台とを備え、操作ユニットＡを支持した操作部支持台は、キッチンの両サイドに天板を支持するように配設された側板に固定され、かつ操作ユニットＡの操作部、及び表示部が使用者から可視できる位置にあるキッチン前方に配置され、前記操作ユニットＡは操作パネルＡと操作カバーＡを上下に嵌合、固定することにより箱状に構成され、かつ前記操作パネルＡの側面上部には庇Ａを設け、前記庇Ａは、前記操作部支持台外観面の上面を覆設するように前記操作部支持台に固定された構成とすることにより、キッチンの天板を外して、操作部を取り付けることができるので、容易に確実に作業することができ、また操作部の強度を向上させるとともに、操作パネルＡ上に水が落ちてきても、操作部支持台内に入らない清潔な構成とできることを目的とする。
【発明の効果】
【０００７】
本発明の組み込み式加熱調理器は、キッチンの天板を外した状態で操作部をキッチンに取り付けることができるため、容易に取り付けることができる。
【発明を実施するための最良の形態】
【０００９】
第１の発明は、キッチンの天板に設けられた開口穴に落としこむように略Ｔ字状に構成された本体と、前記本体の操作を行う操作ユニットＡと前記操作ユニットＡを下方から覆設するように支持した操作部支持台とを備え、前記操作ユニットＡを支持した前記操作部支持台は、前記キッチンの両サイドに前記天板を支持するように配設された側板に固定され、かつ前記操作ユニットＡの操作部、及び表示部が使用者から可視できる位置にある前記キッチン前方に配置され、前記操作ユニットＡは操作パネルＡと操作カバーＡを上下に嵌合、固定することにより箱状に構成され、かつ操作パネルＡの側面上部には庇Ａを設け、庇Ａは、操作部支持台外観面の上面を覆設するように操作部支持台に固定された構成とすることにより、キッチンの天板を外して、操作部を取り付けることができるので、容易に確実に作業することができ、操作部の強度を向上させるとともに、操作パネルＡ上に水が落ちてきても、操作部支持台内に入らない清潔な機器を提供できる。
【００１０】
また、特に第１の発明において、前記操作ユニットＡを支持した前記操作部支持台は、キッチンの前後方向に摺動可能な機構を有し、収納時には前記キッチン前面と、前記操作部支持台前面は同一面となる構成とすることにより、操作部の強度を向上させるとともに、収納時のデザイン性も向上させることができる。
【００１１】
第２の発明は、特に第１の発明において、前記操作パネルＡの前面側面には、上側に水平面を有する爪と、前記操作部支持台の前面の内側には下側に水平面を有するフランジとを備え、前記爪と前記フランジとが嵌合することにより前記操作ユニットＡと前記操作部支持台が固定された構成とするにより、操作部の強度を向上させるとともに、収納時のデザイン性も向上させることができる。
【００１２】
第３の発明は、特に第１または第２の発明において、前記本体の操作を行う、前記操作パネルＡと前記操作カバーＡを有する前記操作ユニットＡと、同じく前記本体の操作を行う、操作パネルＢと操作カバーＢとを上下に嵌合、固定された箱状の操作ユニットＢとを備え、前記操作パネルＡに設けられた前記庇Ａが、前記操作パネルＢの上面端部に設けられた段差部を覆設した構成とすることにより、操作部の強度を向上させるとともに、操作パネルＡ及び操作パネルＢ上に水が落ちてきても、操作部支持台内に入らない清潔な機器を提供できる。
【００１３】
第４の発明は、特に第２または第３の発明において、前記キッチンの前記操作部支持台下方には、鍋等を収納する引出しと、前記引出しの収納時の当て面を形成する幕板Ａとを備え、前記幕板Ａには、前記本体の主電源スイッチを固定し、前記引出し収納時には、前記主電源スイッチは、前記引出しにより露出しない構成とすることにより、操作部の強度を向上させるとともに、たとえ操作部が引き出せなかったとしても、電源を切ることができる信頼性の高い機器を提供することができる。
【００１４】
第５の発明は、特に第２または第３の発明において、前記操作部支持台前面からは、前記操作ユニットＡもしくは前記操作ユニットＢに搭載された主電源スイッチが露出した構成とすることにより、操作部の強度を向上させるとともに、たとえ操作部が引き出せなかったとしても、電源を切ることができる信頼性の高い機器を提供することができる。
【００１５】
第６の発明は、特に第２または第３の発明において、前記キッチンの前記操作部支持台横には、幕板Ｂが設けられ、前記幕板Ｂには、主電源スイッチが固定された構成とすることにより、操作部の強度を向上させるとともに、たとえ操作部が引き出せなかったとしても、電源を切ることができる信頼性の高い機器を提供することができる。
【００１６】
以下、本発明の実施の形態について、図面を参照しながら説明する。なお、本実施の形態によって本発明が限定されるものではない。
【００１７】
（実施の形態１）
図１は本発明の第１の実施の形態における組み込み式加熱調理器の斜視図を示すものである。また、図２は本発明の第１の実施の形態における組み込み式加熱調理器の天板、操作ユニットＡを外した斜視図を示すものである。また、図３は、本発明の第１の実施の形態における組み込み式加熱調理器の組み込み式加熱調理器の操作部の断面図を示すものである。図４は本発明の第１の実施の形態における組み込み式加熱調理器の断面図を示すものである。
【００１８】
図１〜４において、キッチンの天板１１に設けられた開口穴１２に落としこむように略Ｔ字状に構成された本体１３があり、本体１３内は、本体１３上に載置した鍋を加熱する加熱部や加熱部を制御する制御基板等で構成され、キッチンに設置されている。本体１３を操作するための操作ユニットＡ１４は本体１３とは別体で構成され、ケーブル１５で両者は接続されている。操作ユニットＡ１４は、本体１３の加熱や火力調整のための操作を行う操作部１６や火力を示す表示部１７を天面に具備した操作パネルＡ１８と操作キーを備えた操作基板Ａ１９と、操作パネルＡ１８と下方から操作基板Ａ１９を覆設するように嵌合し固定された操作カバーＡ２０からなり、それらで箱状の形態を構成している。さらに、操作パネルＡ１８の天面には、ほぼ全域に樹脂性の薄いシートＡ２１が貼り付けられ、そこに操作部１６や表示部１７が印刷され、直接シート２１Ａのキー部分を押すことで操作ができる。操作ユニットＡ１４は、下方から金属性でかつ剛性のある（板厚２ｍｍ程度）操作部支持台２２により、覆設するように支持され操作部支持台２２の下からの複数のねじＡ２３で固定されている。操作部支持台２２の後方の両サイドには一体で構成された側面２４が構成され、この側面２４が、キッチンの天板１１を下から支持し、キッチンの構成部品の一部である側板２５に、ねじＢ２６の締結により堅固に固定されている。その状態で、操作ユニットＡ１４は、キッチンの前方に配置され、操作部及び表示部が使用者に対して可視しやすいい位置に配設されている。
【００１９】
以上のように構成された組み込み式加熱調理器の操作部の構成について、以下その動作、作用を説明する。
【００２０】
まず、上記構成において、設置業者が本体及び操作部をキッチンに設置することを考える。その際、本体と操作部は別体であるため、分離して設置することができる。そして、キッチンの天板１１はキッチン本体（側板２５を含む）から取り外すことができる。天板１１がない状態で、操作ユニットＡ１４を固定、支持した操作部支持台２２をキッチンの側板２５に固定する。つまり、操作部支持台２２の左右側面２４と両サイドのキッチンの側板２５をそれぞれねじＢ２６で横方向に複数締結して固定するのである。これら操作部のユニットをキッチンに設置してから、キッチンの天板１１をキッチン本体に取付け、その後本体１３をキッチンの天板１１に設置して、設置が完了する。このように、操作部をキッチンに設置する際は、天板１１がない状態でねじを締結できるので、非常に作業がやりやすく、またミスすることがない。また、ねじは横方向に締結されているので、重力の方向とは垂直となるので、ねじも抜けにくく堅固に固定することができる。また、操作ユニットＡ１４を支持している操作部支持台２２は金属性で非常に剛性も強いので、操作ユニットＡ１４が載っていても、十分支持することもできるし、操作する際に、操作部１６を下方に押した際にも、大きくたわむことなく支持することができる（キー操作も安定する）。また、子供が誤って操作ユニットＡ１４を持って下方向に体重をかけてしまった場合でも、操作部支持台２２は強度を確保しているため、容易に壊れることはない。
【００２１】
以上のように、本実施の形態においては、本体と操作部が別体である機器において、操作ユニットＡを含む操作部支持台は天板を外した状態で、キッチンに設置することができるため、作業が行いやすいし、また、操作ユニットＡを支持している操作部支持台は金属性で剛性があるため、操作ユニットＡを強固に支持することができる。それによって、使
用者が操作する際にも、安定したキー操作ができ、また操作ユニットＡ自体の強度を確保することができるため、少々のことでは壊れない堅固な機器を提供することができる。
【００２２】
また、ここでは、複数バーナーの図で説明をおこなっているが、操作部の重量から考えて複数のバーナーの方が効果は多いが、単独のバーナーでも、同様の効果が得られる。
【００２３】
また、操作部支持台は金属性ということで説明を行ったが、樹脂製でも、板厚をより増すとか特殊な強固な材料を使用することで、同様の効果が得られる。
【００２４】
また、キッチンの側板への固定は操作部支持台の側面でなされているが、操作部支持台とは別部品の強固なＬ字状の支持金具をキッチンの側版の内側へ締結して、そこに操作部支持台を締結しても同様の効果が得られる。
【００２５】
なお、操作部支持台の固定は、キッチンの側板でなく、本体の下方にあるキッチンの仕切板上に上側からのねじＢの締結で固定しても同様の効果が得られる。
【００２６】
操作パネルＡ、操作カバーＡは樹脂で構成されており、操作基板Ａと操作部支持台との絶縁を確保する役目もあるし、軽量化も図れる。
【００２７】
（実施の形態２）
図５は本発明の第２の実施の形態における組み込み式加熱調理器の斜視図を示すものである。また、図６は本発明の第２の実施の形態における組み込み式加熱調理器の詳細断面図を示すものである。
【００２８】
図５、６において、基本的な構成は実施の形態１と同様であるため、構成の違うところのみを説明する。操作ユニットＡ１４を構成する操作パネルＡ１８の側面上部には、操作パネルＡ１８と一体形状の庇Ａ２７を設け、この庇Ａ２７は、操作部支持台２２の外観面２８の上面２９を覆設するように固定され、庇Ａ２７の前面と、操作部支持台２２の前面３０は略同一面を形成している。
【００２９】
以上のように構成された組み込み式加熱調理器の操作部の構成について、以下その動作、作用を説明する。
【００３０】
動作、作用についても、実施の形態１の内容と違う部分についてだけ述べるため、同様の内容は実施の形態１を参照とする。まず上記構成において、操作ユニットＡ１４の天面に水を溢したと考える。水はシート２１上に落ちて、前方へとつたっていく。ところが、操作ユニットＡ１４の前方には庇Ａ２７が、操作部支持台２２の外観面２８の上面２９を覆い、また庇Ａ２７の前面と操作部支持台２２の前面３０はほぼ同一面であるため、つたってきた水は全て庇Ａ２７上部から操作部支持台２２の外観面２８の前面３０を通り、外部へと流れていく。つまり、操作ユニットＡ１４に落ちた水は、操作ユニットＡ１４と操作部支持台２２の隙間をつたって、操作部支持台２２内部に入ることはなく、水がたまって汚れがたまるということはない。水は全て外観面をつたうので、ふき掃除が非常におこないやすくなる。
【００３１】
以上のように、本実施の形態においては、本体と操作部が別体である機器において、操作ユニットＡを含む操作部支持台は天板を外した状態で、キッチンに設置することができるため、作業が行いやすいし、また、操作ユニットＡを支持している操作部支持台は金属性で剛性があるため、操作ユニットＡを強固に支持することができるとともに、操作ユニットＡに水がこぼれても、手の届かない操作部支持台内部には水がたまることがなく、外部へと流れていき、庇Ａと外観面の前面ともほぼ同一面のため、お手入れのしやすい清掃
のよい機器をも提供することができる。また、実施の形態１に記した同様の効果も得られる。
【００３２】
（実施の形態３）
図７は本発明の第３の実施の形態における組み込み式加熱調理器の天板、操作ユニットＡを外した断面図を示すものである。また、図８は本発明の第３の実施の形態における組み込み式加熱調理器の詳細断面図を示すものである。また、図９は本発明の第３の実施の形態における組み込み式加熱調理器の斜視図を示すものである。さらに、図１０は本発明の第３の実施の形態における組み込み式加熱調理器の収納時の斜視図を示すものである。
【００３３】
図７〜１０において、基本的な構成は実施の形態１と同様であるため、構成の違うところのみを説明する。操作ユニットＡ１４を内部に支持、固定した操作部支持台２２があり、それらはキッチンの両サイドの側板２５内側に固定された大きな剛性を持った前後への摺動機構３１上に固定されている。操作部支持台２２の後方には固定爪３２が構成され、キッチンの仕切板３３の上に、固定されたキャッチ支持台３４に嵌合、固定されたキャッチ３５に固定爪３２が挟着されることで、操作部支持台２２は収納時、固定される。開放時は、摺動機構３１に構成されたバネで操作部支持台２２を前方に押し当てている。操作部支持台２２をキッチン側に押すことで固定爪３２がキャッチ３５に挟着され、収納、さらにもう一度押すことで固定爪３２がキャッチ３５から解除され、開放される（操作可能状態）。そして、操作ユニットＡ１４の収納時には、操作部支持台２２の前面３０はキッチンの前面３６と同一面となっている。
【００３４】
以上のように構成された組み込み式加熱調理器の操作部の構成について、以下その動作、作用を説明する。
【００３５】
動作、作用についても、実施の形態１の内容と違う部分についてだけ述べるため、同様の内容は実施の形態１を参照とする。設置業者が本体及び操作部をキッチンに設置することを考える。その際、本体と操作部は別体であるため、分離して設置することができる。そして、キッチンの天板１１はキッチン本体（側板２５を含む）から取り外すことができる。天板１１がない状態で、摺動機構３１をキッチンの側板２５に固定する。つまり、摺動機構３１と両サイドのキッチンの側板２５をそれぞれねじＢ２６で横方向に複数締結して固定するのである。それから、操作ユニットＡ１４を固定した固定爪３２を後方に有する操作部支持台２２を摺動機構３１に固定する。さらに、仕切板３３の上にキャッチ３５を固定したキャッチ支持台３４を固定爪３２がうまく嵌合する位置に固定する。これら操作部のユニットをキッチンに設置してから、キッチンの天板１１をキッチン本体に取付け、その後、本体１３をキッチンの天板１１に設置して、設置が完了する。このように、操作部のユニットをキッチンに設置する際は、天板１１がない状態でねじを締結できるので、非常に作業がやりやすく、またミスすることがない。また、ねじは横方向に締結されているので、重力の方向とは垂直となるので、ねじも抜けにくく堅固に固定することができる。また操作ユニットＡ１４を支持している操作部支持台２２は金属性で非常に剛性も強いので、操作ユニットＡ１４が載っていても、十分支持することもできるし、操作する際に、操作部１６を下方に押した際にも、大きくたわむことなく支持することができる（キー操作も安定する）。また、子供が誤って操作ユニットＡ１４を持って下方向に体重をかけてしまった場合でも、操作部支持台２２は強度を確保しているため、容易に壊れることはない。さらに、操作ユニットＡ１４は摺動機構３１を有しているため、操作する際は、操作ユニットＡ１４を引き出し、操作しない場合は収納することができる。つまり、使用しない場合は、飛び出た操作ユニットＡ１４をキッチン内に収めることができるので、使用者の邪魔にもならないし、また操作部支持台の前面３０とキッチンの前面３６は同一面となるため、デザイン的にもすっきりし、またふき掃除も行いやすくできる。
【００３６】
以上のように、本実施の形態においては、本体と操作部が別体である機器において、操作ユニットＡを含む操作部支持台は天板を外した状態で、キッチンに設置することができるため、作業が行いやすいし、また、操作ユニットＡを支持している操作部支持台、及び摺動機構は金属性で剛性があるため、操作ユニットＡを強固に支持することができるとともに、操作を行わないときは、操作ユニットＡ１４をキッチン内へ収納できるため、キッチンの出っ張りをなくすことができ、使い勝手をよくし、キッチン外観の清掃性を向上することができる。さらに、デザイン性も向上することができる。
【００３７】
当然、実施の形態１、２に記した同様の効果も得られる。
【００３８】
（実施の形態４）
図１１は、本発明の第４の実施の形態における組み込み式加熱調理器の操作部の斜視図を示すものである。また、図１２は本発明の第４の実施の形態における組み込み式加熱調理器の詳細断面図を示すものである。
【００３９】
図１１、１２において、基本的な構成は実施の形態１と同様であるため、実施の形態１を参照とする。操作ユニットＡ１４を構成する操作パネルＡ１８の前面には、複数の上側に水平面を有する爪３７を設け、操作部支持台２２の内側には下側に水平面を有するフランジ３８が構成されている。操作ユニットＡ１４は、爪３７がフランジ３８と各々の水平面とで嵌合することにより、操作部支持台２２内に垂直方向に固定されている。
【００４０】
以上のように構成された組み込み式加熱調理器の操作部の構成について、以下その動作、作用を説明する。
【００４１】
動作、作用についても、実施の形態１の内容と違う部分についてだけ述べるため、同様の内容は実施の形態１を参照とする。まず上記構成において、操作パネルＡ１８が横方向に長い部品で、成形時の反りが、垂直方向に大きかったとする。ところが、操作パネルＡ１８の前面には複数の爪３７が設けられ、かつ操作部支持台２２の内側にはフランジ３８が設けられているので、操作ユニットＡ１４をセット時、爪３７をフランジ３８の下方に嵌合するように入れれば、操作パネルＡ１４の反りは矯正され、操作部支持台２２に固定される。これで、庇Ａ２７と操作部支持台の外観面２８の上面２９との隙間はなくなり、美しい操作部を提供することができる。隙間がなくなることにより、水の浸入も防止することができるため操作部支持台２２内に水のたまらない清潔な機器をも提供できる。
【００４２】
以上のように、本実施の形態においては、本体と操作部が別体である機器において、操作ユニットＡを含む操作部支持台は天板を外した状態で、キッチンに設置することができるため、作業が行いやすいし、また、操作ユニットＡを支持している操作部支持台、及び摺動機構は金属性で剛性があるため、操作ユニットＡを強固に支持することができるとともに、たとえ操作パネルＡが大きく反っていたとしても、操作ユニットＡと操作部支持台２２との隙間をなくすことができる水浸入のない清潔でかつデザイン性も向上した機器を提供することができる。
【００４３】
ここでは爪は複数で説明したが、ひとつでも長い爪で構成させれば同様の効果が得られる。
【００４４】
当然、実施の形態１〜３に記した同様の効果も得られる。
【００４５】
（実施の形態５）
図１３は、本発明の第５の実施の形態における組み込み式加熱調理器の斜視図を示すものである。また、図１４は、本発明の第５の実施の形態における組み込み式加熱調理器の
操作部の斜視図を示すものである。さらに、図１５は、本発明の第５の実施の形態における組み込み式加熱調理器の操作部の断面図を示すものである。
【００４６】
図１３、１４、１５において基本的な構成は実施の形態１と同様であるため、実施の形態１を参照とする。成形時の操作パネルＡ１４の反りを低減するため、操作パネルＡ１４を分割し、２部品で構成させる。操作ユニットＡ１４の横には、操作ユニットＡ１４とは別体の操作ユニットＢ３９があり、操作ユニットＢ３９は、本体１３の左バーナーの加熱や火力調整のための操作を行う操作部４０や火力を示す表示部４１を天面に具備した操作パネルＢ４２と操作キーを備えた操作基板Ｂ４３と、操作パネルＢ４２と下方から操作基板Ｂ４３を覆設するように嵌合し固定された操作カバーＢ４４からなり、それらで箱状の形態を構成している。さらに、操作パネルＢ４２の天面には、ほぼ全域に樹脂性の薄いシートＢ４５が貼り付けられ、そこに操作部４０や表示部４１が印刷され直接シートＢ４５のキー部分を押すことで操作ができる。操作ユニットＢ３９は、下方から金属性でかつ剛性のある（板厚２ｍｍ程度）操作部支持台２２により、覆設するように支持され操作部支持台２２の下からの複数のねじＡ２２で固定されている。さらに、操作パネルＢ４２の右上面端部には、下方向への段差部４６が設けられ、その段差部４６に操作パネルＡ１８の庇Ａ２７が覆設するように固定されている。
【００４７】
以上のように構成された組み込み式加熱調理器の操作部の構成について、以下その動作、作用を説明する。
【００４８】
動作、作用についても、実施の形態１の内容と違う部分についてだけ述べるため、同様の内容は実施の形態１の参照とする。まず上記構成において、操作ユニットＡ１４と操作ユニットＢ４２は、操作部支持台２２内で並列して組み込まれている。ところが、操作パネルＢ４２の右上面端部には段差部４６が設けられているため、そこの操作パネルＡ１４の庇Ａ２７が嵌合することができる。このことにより、たとえ、水が操作ユニットＡ１４、もしくはＢ４２の上に落ちたとしても、隙間は最小限に抑えられかつ、段差部４６のところで水平方向に面当たりができているため、水の浸入を防止することができる。
【００４９】
以上のように、本実施の形態においては、本体と操作部が別体である機器において、操作ユニットＡを含む操作部支持台は天板を外した状態で、キッチンに設置することができるため、作業が行いやすいし、また、操作ユニットＡを支持している操作部支持台、及び摺動機構は金属性で剛性があるため、操作ユニットＡを強固に支持することができるとともに、操作パネルが複数あったとしても、操作ユニットＡと操作部支持台、及び操作ユニットＢと操作部支持台、及び操作ユニットＡと操作ユニットＢとの隙間をなくすことができる水浸入のない清潔でかつデザイン性も向上した機器を提供することができる。
【００５０】
なお、操作ユニットＡと操作ユニットＢの位置が反転していても同様の効果が得られる。
【００５１】
また、操作ユニットの数は、３個でも４個でも同様の効果が得られる。
【００５２】
当然、実施の形態１〜４に記した同様の効果も得られる。
【００５３】
（実施の形態６）
図１６は、本発明の第６の実施の形態における本発明の実施の形態６における組み込み式加熱調理器の引出しを外した正面図を示すものである。また、図１７は、本発明の第６の実施の形態における組み込み式加熱調理器の断面図を示すものである。
【００５４】
図１６、１７において、基本的な構成は実施の形態３と同様であるため、構成の違うと
ころのみを説明する。キッチンの仕切板３３の前方下部には、キッチン下に設けられた鍋等を収納する引出し４７と、この引出し４７がキッチンに収納された際の当て面になる幕板Ａ４８がある。幕板Ａ４８には、主電源スイッチ４９が取り付けられ、ケーブル１５とで、操作ユニットＡ１４と接続されている。主電源スイッチ４９は、引出し４７収納時、引出し４７に接触はせず、かつ露出しない構成となっている。ここでは、２口のバーナーで説明する。
【００５５】
以上のように構成された組み込み式加熱調理器の操作部の構成について、以下その動作、作用を説明する。
【００５６】
動作、作用についても、実施の形態３の内容と違う部分についてだけ述べるため、同様の内容は実施の形態３の参照とする。上記構成において、加熱動作中に発火等の危険が起こり電源を止めようとした際に、操作部支持台２２が、摺動機構３１が引っかかるやキャッチ３５が開かなかった等の障害により、引き出されなかったとする。現構成において、電源スイッチは操作ユニットＡ１４内にしかないため、操作部支持台２２が引き出せなければ、電源を切ることができない。ところが、幕板Ａ４８には、主電源スイッチ４９が取り付けられているため、引出し４７を引き出し、主電源スイッチ４９を押すことで電源を切ることができる。引出し４７の構成は、キャッチや固定爪もなく、またレールに載っているだけなので、引っかかることはまずないため、いつでも開けることができる。さらに、主電源スイッチ４９は引出し４７収納時は、露出していないため、全く目障りでないため、使い勝手もよい。また、各バーナーごとに主電源スイッチを設けているので、操作もしやすい。
【００５７】
以上のように、本実施の形態においては、本体と操作部が別体である機器において、操作ユニットＡを含む操作部支持台は天板を外した状態で、キッチンに設置することができるため、作業が行いやすいし、また、操作ユニットＡを支持している操作部支持台、及び摺動機構は金属性で剛性があるため、操作ユニットＡを強固に支持することができるとともに、摺動機構に障害があって操作ユニットＡが引き出せなかったとしても、主電源スイッチが幕板Ａに取り付けられているため、引出しをいつでも開けて電源を切ることができる安全性の高い機器を提供することができる。
【００５８】
主電源スイッチの幕板Ａへの取り付けは、ねじの締結でもいいし、可動爪で穴に引っ掛けてもいい。
【００５９】
なお、ここでは主電源スイッチを基板を設けた箱状のケースで説明したが、シーソースイッチやプッシュプッシュスイッチでも同様の効果が得られる。
【００６０】
また、主電源スイッチは、一つにして、両バーナーとも一気に切ることができる構成でもいい。
【００６１】
当然、実施の形態１〜５に記した同様の効果も得られる。
【００６２】
（実施の形態７）
図１８は本発明の第７の実施の形態における組み込み式加熱調理器の斜視図を示すものである。
【００６３】
図１８において、基本的な構成は実施の形態６と同様であるため、実施の形態６を参照とする。操作部支持台２２の前面３０には、穴５０が設けられ、その穴５０からは操作ユニットＡ１４の側面に固定された主電源スイッチ５１が動作できる。主電源スイッチ５１は、操作部支持台２２の前面３０より内側に位置している。
【００６４】
以上のように構成された組み込み式加熱調理器の操作部の構成について、以下その動作、作用を説明する。
【００６５】
動作、作用についても、実施の形態６の内容と違う部分についてだけ述べるため、同様の内容は実施の形態６を参照とする。上記構成において、加熱動作中に発火等の危険が起こり電源を止めようとした際に、操作部支持台２２が、摺動機構３１が引っかかるやキャッチ３５が開かなかった等の障害により、引き出されなかったとする。現構成において、電源スイッチは操作ユニットＡ１４内にしかないため、操作部支持台２２が引き出せなければ、電源を切ることができない。ところが、操作部支持台２２の前面３０から、主電源スイッチ５１を動作させることができるため、電源を切ることができる。但し、操作部支持台２２には、前後方向の摺動機構３１が連結されているため、主電源スイッチ５１は、前後方向の動作が必要なシーソースイッチやプッシュプッシュスイッチは適さなくて、左右もしくは上下に動くシーソースイッチが適している。主電源スイッチ５１は、操作基板Ａ１９を有する操作ユニットＡ１４にあるため、主電源スイッチ５１への配線も最小限で構成することができる。
【００６６】
以上のように、本実施の形態においては、本体と操作部が別体である機器において、操作ユニットＡを含む操作部支持台は天板を外した状態で、キッチンに設置することができるため、作業が行いやすいし、また、操作ユニットＡを支持している操作部支持台、及び摺動機構は金属性で剛性があるため、操作ユニットＡを強固に支持することができるとともに、摺動機構に障害があって操作ユニットＡが引き出せなかったとしても、主電源スイッチが操作部支持台の前面に構成されているため、いつでも電源を切ることができる安全性の高い機器を提供することができる。
【００６７】
当然、実施の形態１〜６に記した同様の効果も得られる。
【００６８】
（実施の形態８）
図１９は本発明の第８の実施の形態における組み込み式加熱調理器の斜視図を示すものである。
【００６９】
図１９において、基本的な構成は実施の形態７と同様であるため、構成の違うところのみを説明する。操作部支持台２２の横には、キッチンの一部である幕板Ｂ５２が配置され、幕板Ｂ５２には、主電源スイッチ５３が固定されている。
【００７０】
以上のように構成された組み込み式加熱調理器の本体構成について、以下その動作、作用を説明する。
【００７１】
動作、作用についても、実施の形態７の内容と違う部分についてだけ述べるため、同様の内容は実施の形態７を参照とする。まず、上記構成において、加熱動作中に発火等の危険が起こり電源を止めようとした際に、操作部支持台２２が、摺動機構３１が引っかかるやキャッチ３５が開かなかった等の障害により、引き出されなかったとする。現構成において、電源スイッチは操作ユニットＡ１４内にしかないため、操作部支持台２２が引き出せなければ、電源を切ることができない。ところが、幕板Ｂ５２には主電源スイッチ５３が固定されているため、いつでも電源を切ることができる。固定された幕板Ｂ５２に主電源スイッチ５３が固定される構成ため、スイッチ、シーソースイッチ、プッシュプッシュスイッチ等どんなものでも構成できる。
【００７２】
以上のように、本実施の形態においては、本体と操作部が別体である機器において、操作ユニットＡを含む操作部支持台は天板を外した状態で、キッチンに設置することができ
るため、作業が行いやすいし、また、操作ユニットＡを支持している操作部支持台、及び摺動機構は金属性で剛性があるため、操作ユニットＡを強固に支持することができるとともに、摺動機構に障害があって操作ユニットＡが引き出せなかったとしても、主電源スイッチが幕板Ｂの前面に構成されているため、いつでも電源を切ることができる安全性の高い機器を提供することができる。
【００７３】
当然、実施の形態１〜７に記した同様の効果も得られる。
【産業上の利用可能性】
【００７４】
以上のように、本発明にかかる組み込み式加熱調理器は、多バーナービルトインタイプの調理機器等の用途にも適用できる。
【図面の簡単な説明】
【００７５】
【図１】本発明の実施の形態１における組み込み式加熱調理器の斜視図
【図２】本発明の実施の形態１における組み込み式加熱調理器の天板、操作ユニットＡを外した斜視図
【図３】本発明の実施の形態１における組み込み式加熱調理器の操作部の断面図
【図４】本発明の実施の形態１における組み込み式加熱調理器の断面図
【図５】本発明の実施の形態２における組み込み式加熱調理器の斜視図
【図６】本発明の実施の形態２における組み込み式加熱調理器の詳細断面図
【図７】本発明の実施の形態３における組み込み式加熱調理器の天板、操作ユニットＡを外した断面図
【図８】本発明の実施の形態３における組み込み式加熱調理器の詳細断面図
【図９】本発明の実施の形態３における組み込み式加熱調理器の斜視図
【図１０】本発明の実施の形態３における組み込み式加熱調理器の収納時の斜視図
【図１１】本発明の実施の形態４における組み込み式加熱調理器の操作部の斜視図
【図１２】本発明の実施の形態４における組み込み式加熱調理器の詳細断面図
【図１３】本発明の実施の形態５における組み込み式加熱調理器の斜視図
【図１４】本発明の実施の形態５における組み込み式加熱調理器の操作部の斜視図
【図１５】本発明の実施の形態５における組み込み式加熱調理器の操作部の断面図
【図１６】本発明の実施の形態６における組み込み式加熱調理器の引出しを外した正面図
【図１７】本発明の実施の形態６における組み込み式加熱調理器の断面図
【図１８】本発明の実施の形態７における組み込み式加熱調理器の斜視図
【図１９】本発明の実施の形態８における組み込み式加熱調理器の斜視図
【図２０】従来の組み込み式加熱調理器の斜視図
【図２１】従来の組み込み式加熱調理器の操作部の断面図
【図２２】従来の組み込み式加熱調理器の断面図
【符号の説明】
【００７６】
１１  天板
１２  開口穴
１３  本体
１４  操作ユニットＡ
１５  ケーブル
１６、４０  操作部
１７、４１  表示部
１８  操作パネルＡ
１９  操作基板Ａ
２０  操作カバーＡ
２１  シートＡ
２２  操作部支持台
２３  ねじＡ
２４  側面
２５  側板
２６  ねじＢ
２７  庇Ａ
２８  外観面
２９  外観面の上面
３０  操作部支持台の前面
３１  摺動機構
３２  固定爪
３３  仕切板
３４  キャッチ支持台
３５  キャッチ
３６  キッチンの前面
３７  爪
３８  フランジ
３９  操作ユニットＢ
４２  操作パネルＢ
４３  操作基板Ｂ
４４  操作カバーＢ
４５  シートＢ
４６  段差部
４７  引出し
４８  幕板Ａ
４９、５１、５３  主電源スイッチ
５０  穴
５２  幕板Ｂ
【図１】
0005195060.tif 000002
【図２】
0005195060.tif 000003
【図３】
0005195060.tif 000004
【図４】
0005195060.tif 000005
【図５】
0005195060.tif 000006
【図６】
0005195060.tif 000007
【図７】
0005195060.tif 000008
【図８】
0005195060.tif 000009
【図９】
0005195060.tif 000010
【図１０】
0005195060.tif 000011
【図１１】
0005195060.tif 000012
【図１２】
0005195060.tif 000013
【図１３】
0005195060.tif 000014
【図１４】
0005195060.tif 000015
【図１５】
0005195060.tif 000016
【図１６】
0005195060.tif 000017
【図１７】
0005195060.tif 000018
【図１８】
0005195060.tif 000019
【図１９】
0005195060.tif 000020
【図２０】
0005195060.tif 000021
【図２１】
0005195060.tif 000022
【図２２】
0005195060.tif 000023